(57)【特許請求の範囲】
【請求項１】
著作権保護された映像コンテンツの出力可能な映像信号出力端子及び前記映像コンテンツの出力不可な映像信号出力端子を含む複数の映像信号出力端子と、
入力された映像信号を前記複数の映像信号出力端子のそれぞれに対応する信号形式に変換する信号変換部と、
前記変換された映像信号を前記複数の映像信号出力端子のいずれかから選択的に出力させる出力端子選択部と、
使用者の指示が入力される入力部と、
前記複数の映像信号出力端子のそれぞれに対応し、各映像信号出力端子を示す内容、前記各映像信号出力端子を選択するための操作を促す内容及び映像信号出力可否を示す内容を含むメッセージ情報を記憶するメッセージ記憶部と、
前記信号変換部及び前記出力端子選択部を制御する制御部と
を有し、
前記制御部は、
前記入力部に入力された使用者の指示によって、前記出力端子選択部が前記複数の映像信号出力端子のうちのいずれの映像信号出力端子から出力するかを選択するときに、前記メッセージ情報に基づくメッセージ画面信号を、前記複数の映像信号出力端子のそれぞれから、所定期間ずつ、順に出力させるように制御する
ことを特徴とする映像信号出力装置。
【請求項２】
前記出力端子選択部が一度に選択できる映像信号出力端子の数は、１個のみであることを特徴とする請求項１に記載の映像信号出力装置。
【請求項３】
前記出力端子選択部の設定情報を記憶する映像出力設定記憶部を有し、
前記制御部は、前記入力部からの指示に基づいて、前記出力端子選択部が選択する前記映像信号出力端子を切替え、この切替えられた内容を前記映像出力設定記憶部に前記設定情報として記憶させる
ことを特徴とする請求項１又は２に記載の映像信号出力装置。
【請求項４】
前記メッセージ画面信号は、前記複数の映像信号出力端子のそれぞれに対応する内容を持つことを特徴とする請求項１乃至３のいずれか１項に記載の映像信号出力装置。
【請求項５】
著作権保護された映像コンテンツの出力可能な映像信号出力端子及び前記映像コンテンツの出力不可な映像信号出力端子を含む複数の映像信号出力端子と、
入力された映像信号を前記複数の映像信号出力端子のそれぞれに対応する信号形式に変換する信号変換部と、
前記変換された映像信号を前記複数の映像信号出力端子のいずれかから選択的に出力させる出力端子選択部と、
使用者の指示が入力される入力部と、
前記複数の映像信号出力端子のそれぞれに対応し、各映像信号出力端子を示す内容、前記各映像信号出力端子を選択するための操作を促す内容及び映像信号出力可否を示す内容を含むメッセージ情報を記憶するメッセージ記憶部と
を有する映像信号出力装置の制御方法であって、
前記メッセージ情報に基づくメッセージ画面信号を、前記複数の映像信号出力端子のそれぞれから、所定期間ずつ、順に出力させるステップと、
前記入力部からの指示内容に基づいて、前記出力端子選択部が選択する映像信号出力端子を切替えるステップと
を有することを特徴とする映像信号出力装置の制御方法。
【請求項６】
前記出力端子選択部が一度に選択できる映像信号出力端子の数は、１個のみであることを特徴とする請求項５に記載の映像信号出力装置の制御方法。
【請求項７】
前記メッセージ画面信号は、前記複数の映像信号出力端子のそれぞれに対応する内容を持つことを特徴とする請求項５又は６に記載の映像信号出力装置の制御方法。
【発明の詳細な説明】
【技術分野】
【０００１】
本発明は、複数の映像信号出力端子の中の、選択又は許可された映像信号出力端子から映像信号を出力する映像信号出力装置及びその制御方法に関する。
【背景技術】
【０００２】
複数の映像信号出力端子を備えた映像信号出力装置は、全ての映像信号出力端子から同時に映像信号を出力するタイプの装置と、選択されている映像信号出力端子のみから映像信号を出力するタイプの装置とに分類できる。【０００３】
前者の装置では、いずれの映像信号出力端子に映像表示装置を接続した場合であっても、工場出荷後の初期設定を、映像を見ながら行うことができる。しかし、前者の装置は、複数の映像形式の映像信号を同時に出力するハードウェアを必要とするので、装置コストが増大する。【０００４】
後者の装置は、複数の映像形式の映像信号を出力するハードウェアを必要としないので、装置コストは軽減される。しかし、後者の装置では、工場出荷時に設定された映像信号出力端子以外の端子に接続した映像表示装置には映像が表示されない。また、使用者は、工場出荷時に設定された映像信号出力端子から出力される映像形式の映像を表示させることができる映像表示装置を所持していない場合もあり、この場合には映像を見ながら初期設定を行うことはできない。【０００５】
また、アナログ映像信号出力端子であるＤ端子から出力される映像信号をフォーマット変換して、順次、４８０Ｉ、４８０Ｐ、１０８０Ｉ、７２０Ｐ信号を出力する装置の提案がある（例えば、特許文献１参照）。【０００６】
【特許文献１】特開２００５−１１７３０６号公報（段落００１４）
【発明の開示】
【発明が解決しようとする課題】
【０００７】
しかし、上記特許文献１は、Ｄ端子以外の映像信号出力端子である、Ｓビデオ端子、コンポジット端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子、及びＤＶＩ（Ｄｉｇｉｔａｌ  Ｖｉｓｕａｌ  Ｉｎｔｅｒｆａｃｅ）端子等から映像信号を出力させる場合を考慮していない。このため、工場出荷時に設定された映像信号出力端子がＤ端子以外の端子である場合には、Ｄ端子に接続した映像表示装置には映像が表示されない。【０００８】
また、次世代光ディスクの著作権保護規格では、コンテンツ再生時のアナログ出力が禁止されており、映像信号出力装置は、著作権保護の対象となる次世代光ディスクのコンテンツの映像出力をアナログ映像信号出力端子に出力しない構成を備える必要がある。このため、次世代光ディスクの再生時には、著作権保護機能によって、アナログ映像信号出力端子に接続された映像表示装置には映像が表示されないことがある。【０００９】
このように、映像信号出力端子に接続された映像表示装置には映像が表示されないときには、使用者は、映像信号出力装置が正常に動作しているにもかかわらず、映像信号出力装置が故障したと誤解するおそれがあるという問題がある。【００１０】
そこで、本発明は、上記従来技術の課題を解決するためになされたものであり、その目的は、複数の映像信号出力端子の中の選択又は許可された映像信号出力端子のみから映像信号が出力される設定がなされている場合であっても、使用者に装置が故障したという誤解を生じさせない映像信号出力装置及びその制御方法を提供することである。
【課題を解決するための手段】
【００１１】
本発明の一態様に係る映像信号出力装置は、
著作権保護された映像コンテンツの出力可能な映像信号出力端子及び前記映像コンテンツの出力不可な映像信号出力端子を含む複数の映像信号出力端子と、
入力された映像信号を前記複数の映像信号出力端子のそれぞれに対応する信号形式に変換する信号変換部と、
前記変換された映像信号を前記複数の映像信号出力端子のいずれかから選択的に出力させる出力端子選択部と、
使用者の指示が入力される入力部と、
前記複数の映像信号出力端子のそれぞれに対応し、各映像信号出力端子を示す内容、前記各映像信号出力端子を選択するための操作を促す内容及び映像信号出力可否を示す内容を含むメッセージ情報を記憶するメッセージ記憶部と、
前記信号変換部及び前記出力端子選択部を制御する制御部とを有し、
前記制御部は、前記入力部に入力された使用者の指示によって、前記出力端子選択部が前記複数の映像信号出力端子のうちのいずれの映像信号出力端子から出力するかを選択するときに、前記メッセージ情報に基づくメッセージ画面信号を、前記複数の映像信号出力端子のそれぞれから、所定期間ずつ、順に出力させるように制御することを特徴としている。
【００１３】
さらに、本発明の一態様に係る映像信号出力装置の制御方法は、
著作権保護された映像コンテンツの出力可能な映像信号出力端子及び前記映像コンテンツの出力不可な映像信号出力端子を含む複数の映像信号出力端子と、
入力された映像信号を前記複数の映像信号出力端子のそれぞれに対応する信号形式に変換する信号変換部と、
前記変換された映像信号を前記複数の映像信号出力端子のいずれかから選択的に出力させる出力端子選択部と、
使用者の指示が入力される入力部と、
前記複数の映像信号出力端子のそれぞれに対応し、各映像信号出力端子を示す内容、前記各映像信号出力端子を選択するための操作を促す内容及び映像信号出力可否を示す内容を含むメッセージ情報を記憶するメッセージ記憶部と
を有する映像信号出力装置の制御方法であって、
前記メッセージ情報に基づくメッセージ画面信号を、前記複数の映像信号出力端子のそれぞれから、所定期間ずつ、順に出力させるステップと、
前記入力部からの指示内容に基づいて、前記出力端子選択部が選択する映像信号出力端子を切替えるステップとを有することを特徴としている。
【発明の効果】
【００１５】
本発明によれば、複数の映像信号出力端子の中の、選択又は許可された映像信号出力端子のみから映像信号を出力する設定がなされている場合であっても、設定された映像信号出力端子以外の端子にメッセージ画面信号を出力する機能を持たせることによって、装置の使用者に誤解や不快感を与えることを回避できるという効果がある。
【図面の簡単な説明】
【００１６】
【図１】本発明の実施の形態１及び２の映像信号出力装置の概略構成を示すブロック図である。
【図２】実施の形態１の映像信号出力装置における映像信号出力端子の初期設定処理を示すフローチャートである。
【図３】実施の形態２の映像信号出力装置における映像信号出力端子の初期設定処理を示すフローチャートである。
【図４】本発明の実施の形態３の映像信号出力装置の概略構成を示すブロック図である。
【図５】実施の形態３の映像信号出力装置によるコンテンツ再生時における、映像信号出力端子の設定処理を示すフローチャートである。
【図６】本発明の実施の形態４の映像信号出力装置の概略構成を示すブロック図である。
【図７】実施の形態４の映像信号出力装置によるコンテンツ再生時における、映像信号出力端子の設定処理を示すフローチャートである。
【図８】本発明の実施の形態５の映像信号出力装置の概略構成を示すブロック図である。
【図９】（ａ）及び（ｂ）は、実施の形態５の映像信号出力装置における出力端子情報表示部の表示内容を示す図であり、（ａ）はアナログ出力が禁止されていない場合であり、（ｂ）はアナログ出力が禁止されている場合である。
【符号の説明】
【００１７】
１  制御部、  ２  映像出力信号生成部、  ３，３ａ  信号変換部、  ４，４ａ  出力端子選択部、  ５  映像信号出力端子部、  ５ａ  映像信号出力端子（第１映像信号出力端子、ＨＤＭＩ端子）、  ５ｂ  映像信号出力端子（第２映像信号出力端子、ＹＰｂＰｒ端子）、  ５ｃ  映像信号出力端子（第２映像信号出力端子、コンポジットＳビデオ端子）、  ６  映像出力設定記憶部、  ７  入力部、  ８  プログラム記憶部、  ９  計時部、  １０  コンテンツデータ解析部、  １１  コンテンツ再生部、  １２  記憶媒体、  １３  メッセージ記憶部、  １４  メッセージ画面生成部、  １５  表示部、  １５ａ〜１５ｄ  表示部における表示、  ２１  ＨＷカーソルプレーン生成部、  ２２  メインビデオプレーン生成部、  ２３  サブピクチャプレーン生成部、  ２４  ＯＳＤプレーン生成部、  ２５  ＨＷカーソルスケーラ部、  ２６  メインビデオスケーラ部、  ２７  サブピクチャスケーラ部、  ２８  ＯＳＤグラフィックスケーラ部、  ２９  ミキサー部、  １０１，１０３〜１０５  映像信号出力装置。
【発明を実施するための最良の形態】
【００１８】
実施の形態１．
図１は、本発明の実施の形態１の映像信号出力装置１０１の概略構成を示すブロック図である。図１において、映像信号の流れは太い実線の矢印で示し、映像信号以外の信号の流れは破線の矢印で示す。また、図１において、記憶媒体１２からは音声信号も再生されるが、音声信号の流れは図示していない。【００１９】
図１に示されるように、実施の形態１の映像信号出力装置１０１は、制御部１と、映像出力信号生成部２と、信号変換部３と、出力端子選択部４と、映像信号出力端子５ａ，５ｂ，５ｃを備えた映像信号出力端子部５とを有している。また、映像信号出力装置１０１は、映像出力設定記憶部６と、使用者が指示入力を行う入力部７と、プログラム記憶部８と、計時部９と、記憶媒体１２に記憶されているコンテンツデータを再生するコンテンツ再生部１１と、メッセージ情報（メニュー画面情報及び使用者への通知情報を含む。）を記憶するメッセージ記憶部１３と、メッセージ情報に基づくメッセージ画面（又はメニュー画面）を生成するメッセージ画面生成部１４とを有している。映像信号出力装置１０１は、例えば、光ディスク再生装置、ハードディスク再生装置、又は磁気テープ再生装置などである。ただし、実施の形態１の映像信号出力装置１０１は、必ずしもコンテンツ再生部１１を有する必要はなく、コンテンツ再生部１１に代えて放送信号の受信装置や外部から映像信号を受信するためのインターフェースなどの他の構成を備えてもよい。また、メッセージ記憶部１３及びメッセージ画面再生部１４は、一つの構成としてもよく、また、制御部１又は映像出力信号生成部２の一部として備えてもよい。【００２０】
また、図１に示されるように、映像出力信号生成部２は、ハードウェア（ＨＷ）カーソルプレーン生成部２１と、メインビデオプレーン生成部２２と、サブピクチャプレーン生成部２３と、ＯＳＤ（Ｏｎ  Ｓｃｒｅｅｎ  Ｄｉｓｐｌａｙ）プレーン生成部２４と、ハードウェア（ＨＷ）カーソルスケーラ部２５と、メインビデオスケーラ部２６と、サブピクチャスケーラ部２７と、ＯＳＤグラフィックスケーラ部２８と、ミキサー部２９とを有している。【００２１】
制御部１は、映像信号出力装置１０１の各構成を制御して映像信号出力端子部５の各映像信号出力端子５ａ，５ｂ，５ｃから映像信号を出力させる。制御部１は、映像出力設定記憶部６の設定内容が工場出荷時の状態で、装置電源が投入された場合に、各映像信号出力端子５ａ，５ｂ，５ｃから、各映像信号出力端子５ａ，５ｂ，５ｃに対応するメッセージ情報を表示させるためのメッセージ画面信号を、使用者が判読可能で対応入力（メッセージ画面を見た使用者がメッセージ画面に対して応答するための入力操作）が可能な所定期間ずつ、順次出力させる。この所定期間は、例えば、５秒である。ただし、この所定期間は、５秒以外の時間、例えば、３秒又は７秒等であってもよく、メッセージ毎に所定期間を異なる時間に（例えば、メッセージ画面が長い文章を含むときには長く、簡単な内容のときには短く）設定してもよい。【００２２】
ある映像信号出力端子に映像表示装置（図示せず）を接続した場合には、この映像表示装置には、メッセージ画面が表示される期間（所定期間）と、メッセージ画面が表示されない期間とが、メッセージ情報の内容に対応する応答操作を入力部７で実行するまで、交互に発生する。使用者が、映像信号出力端子５ａ，５ｂ，５ｃに接続されている映像表示装置に表示されたメッセージ情報の内容に対応する応答を、入力部７から入力した場合には、制御部１は、そのときの出力端子選択部４及び信号変換部３の設定内容を映像出力設定記憶部６に保存させる。また、制御部１は、映像信号出力端子５ａ，５ｂ，５ｃから、出力設定時のメッセージ画面信号を出力させる。【００２３】
また、制御部１は、映像出力設定記憶部６から読み出された設定内容及びプログラム記憶部８から読み出されたプログラムに基づいて、信号変換部３と出力端子選択部４を制御する。制御部１の制御により、信号変換部３と出力端子選択部４は、複数の映像信号出力端子５ａ，５ｂ，５ｃの中から選択（設定）されたいずれか１系統の出力端子のみに、選択された映像信号出力端子に適合する映像形式で映像信号を出力させる。【００２４】
映像出力信号生成部２は、入力される映像データ又はメッセージ画面信号に基づいて、信号変換部３に供給される映像信号を生成する。映像出力信号生成部２内のＨＷカーソルプレーン生成部２１は、ハードウェアカーソルの表示領域となる提示プレーンの映像信号を生成する。メインビデオプレーン生成部２２は、メインビデオの表示領域となる提示プレーンの映像信号を生成する。サブピクチャプレーン生成部２３は、サブピクチャの表示領域となる提示プレーンの映像信号を生成する。ＯＳＤプレーン生成部２４は、ＯＳＤの表示領域となる提示プレーンの映像信号を生成する。【００２５】
ＨＷカーソルスケーラ部２５は、ハードウェアカーソルの提示プレーンの映像信号をＸ，Ｙスケーリングして寸法調整する。メインビデオスケーラ部２６は、メインビデオの提示プレーンの映像信号をＸ，Ｙスケーリングして寸法調整する。サブピクチャスケーラ部２７は、サブピクチャの提示プレーンの映像信号をＸ，Ｙスケーリングして寸法調整する。ＯＳＤグラフィックスケーラ部２８は、ＯＳＤの提示プレーンの映像信号をＸ，Ｙスケーリングして寸法調整する。ミキサー部２９は、ＨＷカーソルスケーラ部２５と、メインビデオスケーラ部２６と、サブピクチャスケーラ部２７と、ＯＳＤグラフィックスケーラ部２８から出力される個々の映像信号を、それぞれのプレーンの透過度を考慮してαブレンディングした映像信号として出力する。【００２６】
信号変換部３は、映像出力信号生成部２から出力された映像信号を出力端子選択部４で選択されている映像信号出力端子（５ａ，５ｂ，５ｃのいずれか）の映像形式（映像フォーマット）に適合するように変換する。この変換には、例えば、デジタル信号のアナログ信号への変換、及び高精細度（ＨＤ）映像信号の通常精細度（ＳＤ）映像信号への変換も含まれる。【００２７】
出力端子選択部４は、映像信号出力端子５ａ，５ｂ，５ｃから選択された少なくとも１個の映像信号出力端子に対して、映像信号を出力する。なお、信号変換部３の全部又は一部を出力端子選択部４と一体的に構成することもできる。【００２８】
実施の形態１の映像信号出力装置１０１においては、映像信号出力端子５ａ，５ｂ，５ｃは、各々異なる映像形式で映像信号を出力する。図１には、映像信号出力端子部５が３種類の映像信号出力端子５ａ，５ｂ，５ｃを有する場合を示しているが、映像信号出力端子の数は、２個、又は、４個以上であってもよい。【００２９】
映像出力設定記憶部６は、出力端子選択部４及び信号変換部３の設定内容を記憶する。入力部７は、例えば、赤外線等を用いてキー入力が可能な遠隔操作装置（リモコン装置）又は装置本体に備えられた操作部であり、これによりメッセージ画面に対応する使用者の指示内容が入力される。プログラム記憶部８は、制御部１における各種処理内容のプログラムを記憶する。計時部９は、例えば、メッセージ情報を表示させるための映像信号の出力時間等の所定期間を計時する。【００３０】
コンテンツ再生部１１は、映像コンテンツを含む記憶媒体１２からコンテンツデータを再生する。例えば、コンテンツ再生部１１は、デマルチプレクサ（ＤＥＭＵＸ）、デコーダ、及びＣＰＵを含み、記憶媒体１２からコンテンツの映像信号を読み出して映像出力信号生成部２に送出する。その際に、動画等の映像信号はメインビデオプレーン生成部２２に出力され、字幕等の映像信号はサブピクチャプレーン生成部２３に出力され、その他のグラフィック等の映像（画像）はＯＳＤプレーン生成部２４に出力される。記憶媒体１２は、例えば、大容量次世代光ディスク（Ｂｌｕ−ｒａｙディスク等）のような映像コンテンツを格納可能な記憶媒体である。【００３１】
メッセージ記憶部１３は、各映像信号出力端子５ａ，５ｂ，５ｃに対応するメッセージ情報を予め記憶する。メッセージ記憶部１３に記憶されたメッセージ情報には、例えば、接続されている映像表示装置（図示せず）に、現在表示されている映像信号がいずれの映像信号出力端子５ａ，５ｂ，５ｃから出力された信号であるかを示す内容、及び、映像信号出力端子を選択するための操作（例えば、決定ボタンを押す操作など）を促す内容を含むメッセージが含まれる。メッセージ画面生成部１４は、メッセージ情報からメッセージ画面信号を生成する。【００３２】
図２は、映像信号出力装置１０１における映像信号出力端子５ａ，５ｂ，５ｃの初期設定処理を示すフローチャートである。図２は、映像信号出力装置１０１の電源投入時に初期設定が行われる場合を示している。映像信号出力端子５ａ，５ｂ，５ｃの初期設定処理は、装置の工場出荷後の最初の電源投入時に行われるが、入力部７から初期設定モードを選択して、初期設定処理を行うこともできる。図２のフローチャートを用いて、映像信号出力装置１０１の電源投入時における映像信号出力端子５ａ，５ｂ，５ｃの設定処理（すなわち、映像信号出力装置１０１の制御方法）について説明する。【００３３】
先ず、制御部１は、映像信号出力装置１０１が電源投入されたときに（ステップＳ１においてＹＥＳ）、映像出力設定記憶部６から設定内容を読み出し、初期設定済か否か（例えば、工場出荷時の設定状態か否か）を判断する。映像信号出力装置１０１が初期設定済で無い場合には（ステップＳ２においてＮＯ）、ステップＳ３以降で映像信号出力端子５ａ，５ｂ，５ｃの設定処理が実行される。映像信号出力装置１０１が初期設定済である場合には（ステップＳ２においてＹＥＳ）、制御部１は、映像信号出力端子５ａ，５ｂ，５ｃの設定処理を終了する。【００３４】
次に、ステップＳ３以降の処理について説明する。なお、各映像信号出力端子５ａ，５ｂ，５ｃには、予め１から昇順に整数で連番ｎが付与されており、例えば、映像信号出力端子５ａは、ＨＤＭＩ端子（ｎ＝１）、映像信号出力端子５ｂはＹＰｂＰｒ端子（ｎ＝２）、映像信号出力端子５ｃは、コンポジットＳビデオ端子（ｎ＝３）である。【００３５】
制御部１は、プログラム記憶部８から映像信号出力端子５ａ，５ｂ，５ｃの設定処理を行うためのプログラムを読み出して起動し、ｎを１にセットし（ステップＳ３）、第１映像信号出力端子５ａであるＨＤＭＩ端子から映像信号が出力されるように信号変換部３及び出力端子選択部４を制御する（ステップＳ４）。【００３６】
制御部１は、メッセージ記憶部１３から第１映像信号出力端子５ａに対応したメッセージ情報を読み出し、そのメッセージ情報からメッセージ画面生成部１４でメッセージ画面信号を生成させ、さらに映像出力信号生成部２で調整及びミキシングを実施させる。すなわち、制御部１は、各映像信号出力端子５ａ，５ｂ，５ｃのメッセージ情報からメッセージ画面信号を生成させ、そのメッセージ画面信号に基づいて各映像信号出力端子５ａ，５ｂ，５ｃから出力されるメッセージ画面信号を生成し、各映像信号出力端子５ａ，５ｂ，５ｃからメッセージ画面信号を出力させる。メッセージ画面信号は、信号変換部３及び出力端子選択部４を介して第１映像信号出力端子５ａから出力される（ステップＳ５）。【００３７】
制御部１は、メッセージ画面信号が第１映像信号出力端子５ａから出力されると同時に計時部９で計時を開始させ（ステップＳ６）、入力部７から、メッセージ画面に対応する入力（例えば、第１映像信号出力端子５ａを選択するための決定操作等）が有るか否かが判断される（ステップＳ７）。第１映像信号出力端子５ａを選択する入力が有った場合には（ステップＳ７においてＹＥＳ）、信号変換部３及び出力端子選択部４の設定を変更し、変更した設定を映像出力設定部６に記憶させ（ステップＳ８）、設定処理を終了する。【００３８】
ステップＳ７において、第１映像信号出力端子５ａを選択する入力が無かった場合は（ステップＳ７においてＮＯ）、制御部１は、計時部９における計時が、所定期間（使用者が判読可能で対応入力が可能な期間であり、例えば、５秒）経過したか否かを判断し（ステップＳ９）、所定期間が経過した場合には（ステップＳ９においてＹＥＳ）、各映像信号出力端子に付与されたｎが、最大値（ＭＡＸ）であるか否かを判断する（ステップＳ１０）。ｎが最大値（ｎ＝ＭＡＸ）である場合には（ステップＳ１０においてＹＥＳ）、処理をステップＳ３に戻してｎを１にし、ステップＳ３以降の処理を繰り返す。ｎが最大値ではない場合には（ステップＳ１０においてＮＯ）、ｎに１を加算（ｎ＝ｎ＋１）してステップＳ４以降の処理を繰り返す。【００３９】
ステップＳ１０の判断がＮＯであり、処理がステップＳ４に戻る場合は、第１映像信号出力端子５ａの設定処理ができなかったので、処理は、第２映像信号出力端子５ｂであるＹＰｂＰｒ端子の設定処理に移行する。また、第２映像信号出力端子５ｂの設定処理ができなかった場合は、処理は、第３映像信号出力端子５ｃであるコンポジットＳビデオ端子の設定処理に移行する。そして、ステップＳ７において、映像信号出力端子を選択する入力があった場合には、その入力操作があった時点においてメッセージ画面信号を出力している映像信号出力端子を選択する設定（すなわち、信号変換部３及び出力端子選択部４の設定）を映像出力設定部６に保存し（ステップＳ８）、処理を終了させる。【００４０】
したがって、実施の形態１の映像信号出力装置１０１においては、設定内容が工場出荷時の状態で電源が投入された場合に、各映像信号出力端子５ａ，５ｂ，５ｃからメッセージ画面信号を所定期間ずつ、順次出力させることができる。そして、映像信号出力装置１０１に接続されている映像表示装置に表示されたメッセージ画面の内容に対応する応答内容が入力された場合に、その入力があったときにメッセージ画面信号を出力している映像信号出力端子を選択する設定を、出力端子選択部４及び信号変換部３の設定内容として記憶させることができる。また、各映像信号出力端子５ａ，５ｂ，５ｃからメッセージ画面信号を順次出力させる処理を、映像信号出力端子５ａ，５ｂ，５ｃの全てについて行っても、入力部７から入力が無い場合には、各映像信号出力端子５ａ，５ｂ，５ｃからメッセージ画面信号を順次出力させる処理を、繰り返し実行する。【００４１】
以上に説明したように、実施の形態１の映像信号出力装置１０１においては、映像信号を出力させる映像信号出力端子５ａ，５ｂ，５ｃの選択（設定）に際して、各映像信号出力端子５ａ，５ｂ，５ｃから、所定期間ずつ、順に、メッセージ画面信号を出力させている。このように動作させることによって、映像表示装置が、いずれの映像信号出力端子５ａ，５ｂ，５ｃに接続されていても、使用者が、メッセージ画面の映像を確認できるようにしている。このため、映像表示装置に映像が表示されないことが、映像信号出力装置の故障によるものであるとの誤解や不快感を使用者に与える事態を無くすことができる。【００４２】
また、使用者は、映像表示装置にメッセージ画面が表示されている間に、映像信号を出力させる映像信号出力端子の選択のための操作（例えば、入力部７による決定ボタンを押す操作）を行うだけで、選択された映像信号出力端子を設定情報として記憶することができるようにしたので、映像信号出力端子の設定操作が極めて容易になる。【００４３】
なお、上記説明においては、出力端子選択部４が、１個の映像信号出力端子を選択する場合を説明したが、本発明は、同時に２個以上の映像信号出力端子を選択する装置にも適用できる。【００４４】
実施の形態２．
上記実施の形態１においては、映像信号出力端子５ａ，５ｂ，５ｃの設定時に、各映像信号出力端子５ａ，５ｂ，５ｃから、所定期間（例えば、５秒）ずつ、順にメッセージ画面信号を出力させて、メッセージ画面が表示されている所定期間内に映像信号出力端子の選択の入力（例えば、決定ボタンを押す操作）があった場合に、そのときの信号変換部３及び出力端子選択部４の設定を保存していた。しかし、映像信号出力端子の数が多い場合には、目的の映像信号出力端子のメッセージ画面が表示されるまでの期間が長くなる。このため、実施の形態２の映像信号出力装置においては、各映像信号出力端子５ａ，５ｂ，５ｃから、所定期間ずつ、順にメッセージ画面信号を出力させるときの、前記所定期間を短い時間（例えば、１秒）にし、前記所定期間と入力操作を無関係にし、映像信号出力端子に対応する入力（例えば、映像信号出力端子に対応する番号キーの入力操作）があった場合に、この入力内容（例えば、入力された番号）に対応する映像信号出力端子を選択して、設定情報を保存する。【００４５】
実施の形態２の映像信号出力装置は、制御部１の制御内容、及び、メッセージ記憶部１３に記憶されているメッセージ情報の内容が、上記実施の形態１の映像信号出力装置のものと相違する。これ以外の点については、実施の形態２の映像信号出力装置は、上記実施の形態１の映像信号出力装置と実質的に同じである。したがって、実施の形態２の映像信号出力装置の説明に際しては、上記実施の形態１の説明に用いた図１を参照する。【００４６】
実施の形態２において、制御部１は、映像信号出力装置１０１の各構成を制御して映像信号出力端子部５の各映像信号出力端子５ａ，５ｂ，５ｃから映像信号を出力させる。制御部１は、映像出力設定記憶部６の設定内容が工場出荷時の状態で、装置電源が投入された場合に、各映像信号出力端子５ａ，５ｂ，５ｃから、各映像信号出力端子５ａ，５ｂ，５ｃに対応するメッセージ画面を表示させるためのメッセージ画面信号を、使用者が判読可能な所定期間ずつ、順次出力させる。この所定期間は、例えば、１秒である。ただし、この所定期間は、１秒以外の時間であってもよい。映像信号出力端子５ａ，５ｂ，５ｃの全てからメッセージ画面信号を順次出力させても入力部７から映像信号出力端子を選択する入力が無い場合には、各映像信号出力端子５ａ，５ｂ，５ｃから、メッセージ画面信号を順次出力させる処理を繰り返す。【００４７】
上記実施の形態１においては、メッセージ画面が表示された場合に、入力部７からの入力操作は、各映像信号出力端子について同じ操作（例えば、決定ボタンを押す操作）であってもよいが、実施の形態２においては、各映像信号出力端子５ａ，５ｂ，５ｃに対応する入力操作を行う。例えば、第１映像信号出力端子５ａを選択する場合には、入力部７の数字キー‘１’を押し、第２映像信号出力端子５ｂを選択する場合には、入力部７の数字キー‘２’を押し、第３映像信号出力端子５ｃを選択する場合には、入力部７の数字キー‘１’を押す。なお、実施の形態２の映像信号出力装置は、１個の映像信号出力端子に映像信号を出力する場合を説明する。【００４８】
図３は、本発明の実施の形態２の映像信号出力装置の映像信号出力端子の設定処理を示すフローチャートである。実施の形態２の映像信号出力装置の全体的な動作は、上記実施の形態１に関する図２のフローチャートと同様である。しかし、実施の形態２においては、上記したように各々の端子に対するメッセージ画面の表示時間を短くしてリモコンからの入力を、メッセージ画面の表示時間以外であっても受け付けるようにしている。なお、図３は、図２のステップＳ３〜Ｓ８の処理プロセスに対応する処理部分である。【００４９】
図３のステップＳ２１ａ及び２１ｂは、ステップＳ２１ａ及び２１ｂの間に示されるステップＳ２１−１からＳ２１−ｎまでの処理を、順に繰り返し実行し、入力部７からの数字キーの入力があった場合に、処理をステップＳ２２に移行させることを意味する。ステップＳ２１−１からＳ２１−ｎまでの処理は、各映像信号出力端子に対応する番号キーを入力させることによって、映像信号出力端子の設定をする点が、メッセージ画面の表示期間内のみに対応入力を受け付け、対応入力のあった時の設定内容を保存する上記実施の形態１と相違する。【００５０】
ステップＳ２１−１においては、図１のプログラム記憶部８から読み出されたプログラムに基づいて制御部１により、メッセージ記憶部１３から第１映像信号出力端子（例えば、ＨＤＭＩ端子）に対応する「数字キー‘１’を押して下さい」というメッセージ情報を読み出し、メッセージ画面生成部１４でそのメッセージ画面を生成し、映像出力信号生成部２、信号変換部３、及び出力端子選択部４を介して、第１映像信号出力端子５ａから、そのメッセージ画面信号を出力させる。その際には、計時部９でメッセージ画面の表示時間を計時して、メッセージ画像を１秒間出力させ、１秒が経過したら、処理をステップＳ２１−２に進める。【００５１】
ステップＳ２１−２においては、同様に制御部１により、メッセージ記憶部１３から第２映像信号出力端子（例えば、Ｄ端子）に対応する「数字キー‘２’を押して下さい」というメッセージ情報を読み出し、メッセージ画面生成部１４でそのメッセージ画面を生成し、映像出力信号生成部２、信号変換部３、及び出力端子選択部４を介して、第２映像信号出力端子部５の各出力端子からそのメッセージ画面信号を出力させる。その際にも、計時部９でメッセージ画面の表示時間を計時してメッセージ画像を１秒間出力させ、１秒が経過したら、処理をステップＳ２１−３に進める。【００５２】
ステップＳ２１−３においては、同様に制御部１により、メッセージ記憶部１３から第３映像信号出力端子（例えば、コンポジット端子）に対応する「数字キー‘３’を押して下さい」というメッセージ情報を読み出し、メッセージ画面生成部１４でそのメッセージ画面を生成し、映像出力信号生成部２、信号変換部３、及び出力端子選択部４を介して、第３映像信号出力端子からそのメッセージ画面信号を出力させる。その際にも、計時部９でメッセージ画面の表示時間を計時してメッセージ画像を１秒間出力させ、１秒が経過したら、処理をステップＳ２１−４に進める。【００５３】
ステップＳ２１−４においては、同様に制御部１により、メッセージ記憶部１３から第４映像信号出力端子（例えば、ＤＶＩ端子）に対応する「数字キー‘４’を押して下さい」というメッセージ情報を読み出し、メッセージ画面生成部１４でそのメッセージ画面を生成し、映像出力信号生成部２、信号変換部３、及び出力端子選択部４を介して、第４映像信号出力端子部５の各出力端子からそのメッセージ画面信号を出力させる。その際にも、計時部９でメッセージ画面の表示時間を計時してメッセージ画像を１秒間出力させ、１秒が経過したら、処理を次ぎのステップに進める。【００５４】
同様に、第ｎ（ｎは正の整数）映像信号出力端子にメッセージ画像を１秒間出力させる（ステップＳ２１−ｎ）。ステップＳ２１−１からＳ２１−ｎまでの処理は、リモコン（入力部７）から、使用者により数字キーの入力があるまで繰り返される。【００５５】
図３のステップＳ２１−１からＳ２１−ｎまでを繰り返す処理の期間内に、使用者がリモコンで数字キー（入力が有効と認められるキーでメッセージ画面を肯定する内容のキー）を押した場合に、ステップＳ２１−１からＳ２１−ｎまでの処理ループから抜ける。そして、使用者が選択入力したキーに対応する映像信号出力端子を選択するための設定（信号変換部３及び出力端子選択部４等の設定）は、映像出力設定記憶部に保存され、選択された映像信号出力端子に映像出力が切り替えられる（ステップＳ２２）。【００５６】
実施の形態２においては、映像信号出力装置を上記のように構成及び動作させるので、メッセージ画面が表示されていない期間において、使用者が選択した映像信号出力端子の対応するリモコンのキー（例えば、数字キー）を押した場合であっても、映像表示装置が接続された映像信号出力端子を選択し、その設定を保存することができる。【００５７】
以上に説明したように、実施の形態２の映像信号出力装置においては、映像信号出力端子の設定時に、全ての映像信号出力端子から順にメッセージ画面信号を出力させ、映像表示装置がいずれの映像信号出力端子に接続されていても、メッセージ画面の映像を出力できるようにし、数字キーの入力で映像信号出力端子の設定を記憶することができるようにしている。このため、接続された映像表示装置には何も表示されないことから使用者に映像信号出力装置に不良が発生した等の誤解や不快感を与えたりする事態を無くすことができる。【００５８】
なお、実施の形態２において、上記以外の点は、上記実施の形態１の場合と同じである。【００５９】
実施の形態３．
図４は、本発明の実施の形態３の映像信号出力装置１０３の概略構成を示すブロック図である。図４において、図１に示される構成と同一又は対応する構成には同じ符合を付す。実施の形態３の映像信号出力装置１０３は、コンテンツデータ解析部１０を有する点、メッセージ記憶部１３に記憶されたメッセージ情報の内容、及び制御部１の制御内容が、上記実施の形態１のものと相違する。実施の形態３の映像信号出力装置１０３は、アナログ出力が禁止された次世代光ディスクのコンテンツの再生時に、アナログ映像信号出力端子から映像表示装置にメッセージ画面信号を出力させて、使用者に誤解を与えないようにしている。【００６０】
ここでアナログ出力が禁止されたコンテンツの再生時とは、次世代光ディスクのコンテンツの著作権保護規格に規定された再生時のアナログ出力が禁止される場合である。実施の形態３でいうコンテンツの再生データの出力が禁止されている端子とは、例えば、アナログ出力が禁止されるコンテンツの再生時における、映像信号出力装置１０３のアナログ映像信号出力端子である。再生時のアナログ出力が禁止される場合とは、例えば、視聴しようとしている次世代光ディスクのコンテンツにおいてＤＯＴ（Ｄｉｇｉｔａｌ  Ｏｎｌｙ  Ｔｏｋｅｎ）ビットが１になっている場合であり、その場合はコンテンツにアナログ端子出力禁止モードが設定されている場合であるので、映像信号出力装置で再生時のアナログ出力を禁止しなければならない。言い換えれば、実施の形態３の映像信号出力装置１０３においては、著作権保護の対象となる次世代光ディスク（記憶媒体）を再生する時に、読み出されたコンテンツの映像出力をアナログ映像信号出力端子には出力できないようにしなければならない。【００６１】
実施の形態３において、メッセージ記憶部１３に記憶されたメッセージ情報には、例えば、「映像表示装置が接続されている映像信号出力端子からのコンテンツ映像信号のアナログ出力は禁止されています。」という内容、及び「デジタル映像出力用の映像信号出力端子に変映像表示装置を接続し直せばコンテンツ再生信号が表示されます」という内容を含むコンテンツ再生時のメッセージ情報が含まれる。【００６２】
制御部１は、コンテンツ再生部１１をも制御している。また、映像出力設定記憶部６に設定内容が記憶された状態で電源が投入されてコンテンツが再生される場合に、コンテンツ解析部１０は、例えば、コンテンツの制御データを読み出して解析する。コンテンツ解析部１０の解析結果から、各映像信号出力端子中に出力を禁止されているアナログ映像出力端子が存在し、且つ、映像信号出力端子の設定が、そのコンテンツ再生データの出力が禁止されているアナログ映像出力端子である場合には、コンテンツの再生出力を停止する。そして、アナログ映像信号出力端子からは、例えば、「映像表示装置が接続されている映像信号出力端子からのコンテンツ映像信号のアナログ出力は禁止されています。」という内容のメッセージ画面信号を出力する。このメッセージ画面を見た使用者は、入力部７からの操作によって、デジタル映像信号出力端子を選択し、設定を登録させる。【００６３】
図５は、実施の形態３の映像信号出力装置１０３によるコンテンツ再生時における、映像信号出力端子の設定処理を示すフローチャートである。【００６４】
映像コンテンツが記憶された次世代光ディスクである記憶媒体１２が、映像信号出力装置１０３のコンテンツ再生部１１に挿入された場合、制御部１は、コンテンツ再生部１１により光ディスクの、例えば、最外周部等に記憶されているコンテンツ制御データを読み出し、コンテンツデータ解析部１０でデータを解析する（ステップＳ３１）。【００６５】
次に、コンテンツデータ解析部１０による制御データの解析結果から、記憶媒体１２が、アナログ映像出力禁止コンテンツであるか否かが判断される（ステップＳ３２）。具体例としては、ＤＯＴビット等のアナログ出力禁止フラグのＯＮ／ＯＦＦが確認される。アナログ映像出力禁止コンテンツでない場合には（ステップＳ３２においてＮＯ）、映像信号端子設定処理を終了する。【００６６】
制御部１は、アナログ映像出力禁止コンテンツである場合には（ステップＳ３２においてＹＥＳ）、映像出力設定記憶部６から出力端子選択部４の設定内容を読み出して（ステップＳ３３）、コンテンツの再生データの出力が禁止されているアナログ映像信号出力端子から映像信号が出力されるように設定されているか否かを判断する（ステップＳ３４）。アナログ映像信号出力端子から映像信号が出力されない設定である場合には（ステップＳ３４においてＮＯ）、映像信号端子設定処理を終了する。【００６７】
アナログ映像信号出力端子から映像信号が出力される設定である場合には（ステップＳ３４においてＹＥＳ）、制御部１は、コンテンツ再生部１１による光ディスクに記憶されているコンテンツの再生（読み出し）処理を停止させ、メッセージ記憶部１３から上記したコンテンツ再生時のメッセージ情報を読み出し、そのメッセージ情報からメッセージ画面生成部１４でメッセージ画面信号を生成させ、さらに映像出力信号生成部２内で調整及びミキシングを実施させる。つまり、コンテンツ再生時のメッセージ情報からメッセージ画面信号を生成し、さらにそのメッセージ画面信号に基づいて各映像信号出力端子から出力される映像信号を生成して、映像信号出力端子から映像信号を出力させる。そのメッセージ画面信号は、信号変換部３及び出力端子選択部４を介して、コンテンツ再生データの出力が禁止されている端子から出力される（ステップＳ３５）。【００６８】
その後、入力部７から、メッセージ画面に対応する入力、すなわち、コンテンツ再生データの出力が禁止されている映像信号出力端子から出力されたメッセージ画面を見た使用者により、メッセージ画面を了解したか否かの入力がなされる（ステップＳ３６）。メッセージ画面を了解した入力が有った場合（ステップＳ３６においてＹＥＳ）には、映像信号出力端子の設定画面信号が出力され、映像信号出力端子の設定を実施する（ステップＳ３７）。実施の形態３の映像信号出力装置１０３が、複数の映像信号出力端子から同時に映像信号を出力させることができない装置である場合には、ステップＳ３７における映像信号出力端子の設定処理として、上記実施の形態１又は２で説明した制御方法を採用してもよい。【００６９】
メッセージ画面を確認した入力が無い場合（ステップＳ３６においてＮＯ）には、制御部１は、コンテンツ再生キャンセルの操作の有無を判定する（ステップＳ４０）。コンテンツ再生キャンセルの操作には、例えば、光ディスクのコンテンツ再生部１１からの排出、又は、入力部７からコンテンツ再生を中止する入力が含まれる。コンテンツ再生キャンセルの入力があった場合には（ステップＳ４０においてＹＥＳ）、映像信号出力端子の設定はそのままで処理が終了する。コンテンツ再生キャンセルの入力が無い場合（ステップＳ４０においてＮＯ）には、ステップＳ３６に戻るが、その際にコンテンツ再生時のメッセージ情報は再表示させるのではなく、ステップＳ３６においてＹＥＳの場合のメッセージ画面を確認した入力が有るまでは表示され続ける。【００７０】
ステップＳ３７で出力が許可されたデジタル映像信号出力端子の設定が実施されると、その出力許可端子の設定は終了したか否かが判断される（ステップＳ３８）。デジタル映像信号出力端子の設定が終了した場合（ステップＳ３８においてＹＥＳ）には、そのデジタル映像信号出力端子の設定内容を映像出力設定記憶部６から読み出して出力が許可されたデジタル映像信号出力端子に切替え、停止させていたコンテンツ再生部１１による光ディスクに記憶されているコンテンツの再生処理を再開させて出力が許可されたデジタル映像信号出力端子から映像信号を出力させる（ステップＳ３９）。【００７１】
デジタル映像信号出力端子の設定が終了していない場合（ステップＳ３８においてＮＯ）には、制御部１は、コンテンツ再生キャンセルの操作の有無を判定する（ステップＳ４１）。コンテンツ再生キャンセルの操作には、例えば、光ディスクのコンテンツ再生部１１からの排出、又は、入力部７からコンテンツ再生を中止する入力が含まれる。コンテンツ再生キャンセルの入力があった場合には（ステップＳ４１においてＹＥＳ）、映像信号出力端子の設定はそのままで処理が終了する。コンテンツ再生キャンセルの入力が無い場合には（ステップＳ４１においてＮＯ）、ステップＳ３７に戻り、映像信号出力端子の設定を実施する（ステップＳ３７）。【００７２】
したがって、実施の形態３においては、コンテンツデータ解析部１０でそのコンテンツ制御データを解析した解析結果から各映像信号出力端子中に出力を禁止されている端子が存在し（ステップＳ３２においてＹＥＳ）、設定内容がコンテンツ再生データの出力が禁止されている端子に該当する場合（ステップＳ３４においてＹＥＳ）に、コンテンツ再生データを出力せずに、設定された映像信号出力端子からコンテンツ再生時のメッセージ画面信号を出力させる（ステップＳ３５）。【００７３】
以上に説明したように、実施の形態３の映像信号出力装置１０３は、使用者がメッセージ画面の情報にしたがってデジタル映像信号出力端子からの出力を選択した場合には、そのデジタル映像信号出力端子に出力を切り替えて、コンテンツの再生を開始するが、使用者がコンテンツの再生データの出力が禁止されているアナログ映像信号出力端子からの出力を選択した場合には、コンテンツの再生を実行させない。このため、アナログ出力が禁止されたコンテンツの再生時におけるアナログ出力を抑止することができる。したがって、実施の形態３においては、アナログ出力が禁止されたコンテンツの再生時に、接続された映像表示装置には何も表示されないことから使用者に映像信号出力装置に不良が発生した等の誤解や不快感を与える事態を無くすることができる。【００７４】
なお、実施の形態３におけるアナログ映像出力が禁止された映像コンテンツ再生時の映像信号出力端子設定の機能を、上記実施の形態１及び２における映像信号出力装置１０１に組み込むことも可能である。【００７５】
また、実施の形態３においては映像信号のみをとりあげ、音声信号については説明していないが、音声信号も禁止されている端子からの出力は映像信号と同様に停止され、映像信号の出力が禁止される端子からは音声信号の出力が禁止される。【００７６】
実施の形態４．
図６は、本発明の実施の形態４の映像信号出力装置１０４の概略構成を示すブロック図である。図６において、図４に示される構成と同一又は対応する構成には同じ符合を付す。実施の形態４の映像信号出力装置１０４は、映像信号出力端子から同時に複数系統に映像信号を出力可能である点が、上記実施の形態３の場合と相違する。【００７７】
実施の形態４の映像信号出力装置１０４においては、複数の映像信号出力端子には、各々に対応する複数の映像表示装置を接続でき、出力端子選択部４は、映像信号を複数の映像信号出力端子から出力でき、信号変換部３は、映像信号を複数の映像信号出力端子の映像形式に対応させて変換できる。【００７８】
実施の形態４において、メッセージ記憶部１３に記憶されたメッセージ情報には、例えば、「映像表示装置が接続されている映像信号出力端子からのコンテンツ映像信号のアナログ出力は禁止されています。」という内容、及び「デジタル映像出力用の映像信号出力端子に変映像表示装置を接続し直せばコンテンツ再生信号が表示されます」という内容を含むコンテンツ再生時のメッセージ情報が含まれる。さらに、メッセージ情報には、再生出力が許可された映像信号出力端子に対して「映像表示装置が接続されている映像信号出力端子からのコンテンツ映像信号の出力は許可されています。」という内容、及び「その映像信号出力端子からの映像形式の出力を使用者が確認したことを入力部７からの所定のキーにより入力することを促す内容」を含むコンテンツ再生データを複数の端子から出力する時のメッセージ情報も含まれる。【００７９】
制御部１は、コンテンツ再生データを複数の端子から出力する時のメッセージ情報の映像信号に対して、入力部７から使用者の確認入力が得られた場合には、コンテンツの再生データの出力が禁止されている端子への全ての出力を停止し、出力が許可された端子からのみコンテンツの再生信号を出力させる。また、制御部１は、コンテンツ再生データを複数の端子から出力する時のメッセージ画面信号に対して、入力部７から使用者の確認入力が得られない場合で、使用者が出力が許可された映像信号出力端子部５の各出力端子の設定を希望する場合には、出力が許可された映像信号出力端子から出力設定時のメッセージ情報の映像信号を、例えば、使用者が判読可能で対応入力が可能な所定期間出力させる。【００８０】
図７は、実施の形態４の映像信号出力装置１０４によるコンテンツ再生時における、映像信号出力端子の設定処理を示すフローチャートである。【００８１】
図７においてステップＳ５１〜Ｓ５５の処理は、図５に示されたステップＳ４１〜Ｓ４５の処理と同様である。制御部１は、ステップＳ５５で、コンテンツ再生データの出力が禁止されている端子からコンテンツ再生時のメッセージ画面（禁止理由）の映像信号を出力した後、アナログ端子等の出力が禁止された端子への出力を無効にしり設定が実施されたか否かが確認される（ステップＳ５８）。出力無効の設定が終了した場合（ステップＳ５６においてＹＥＳ）には、制御部１は、メッセージ記憶部１３から上記したコンテンツ再生データを複数の端子から出力する時のメッセージ情報（再生出力が許可された映像信号出力端子に対する情報）を読み出し、そのメッセージ情報からメッセージ画面生成部１４でメッセージ画面信号を生成させ、さらに映像出力信号生成部２内で調整及びミキシングを実施させる（ステップＳ５７）。その後、入力部７から、メッセージ画面に対応する入力、すなわち、出力が許可されている端子から出力されたメッセージ画面を見た使用者からメッセージ画面を確認した入力が有るか否かが判断される（ステップＳ５８）。【００８２】
出力が禁止された端子に対する出力不可の設定が無い場合（ステップＳ５６においてＮＯ）には、制御部１は、コンテンツ再生キャンセルの操作の有無を判定する（ステップＳ６１）。コンテンツ再生キャンセルの操作には、例えば、光ディスクのコンテンツ再生部１１からの排出、又は、入力部７からコンテンツ再生時のメッセージ情報に表示されたキャンセルを指示する内容がキー入力される操作が含まれる。コンテンツ再生キャンセルの入力があった場合（ステップＳ６１においてＹＥＳ）には、映像信号出力端子の設定はそのままにして、処理が終了する。コンテンツ再生キャンセルの入力が無い場合（ステップＳ６１においてＮＯ）には、処理はステップＳ５６に戻る。その際にコンテンツ再生出力端子が複数あるときのメッセージ情報（禁止理由）は再表示させるのではなく、ステップＳ４８においてＹＥＳの場合の出力不可の設定が終了するまでは表示され続ける。【００８３】
メッセージ画面を確認した入力が有った場合（ステップＳ５８においてＹＥＳ）には、制御部１は、再生出力が許可された映像信号出力端子に対する全ての出力を停止させ（ステップＳ５９）、停止させていたコンテンツ再生部１１による光ディスクに記憶されているコンテンツの再生処理を再開させ、残った出力許可端子（デジタル映像信号出力端子）のみから、コンテンツ再生部１１による光ディスクに記憶されているコンテンツの再生処理の出力となる映像信号を出力させる（ステップＳ６０）。【００８４】
メッセージ画面を確認した入力が無い場合（ステップＳ５８においてＮＯ）には、制御部１は、コンテンツ再生キャンセルの操作の有無を判定する（ステップＳ６２）。コンテンツ再生キャンセルの操作には、例えば、光ディスクのコンテンツ再生部１１からの排出、又は、入力部７からコンテンツ再生時のメッセージ情報に表示されたキャンセルを指示する内容のキー入力が含まれる。コンテンツ再生をキャンセルする入力があった場合（ステップＳ６２においてＹＥＳ）には、映像信号出力端子の設定はそのままで処理が終了する。コンテンツ再生をキャンセルする入力が無い場合（ステップＳ６２においてＮＯ）には、処理はステップＳ５７に進む。【００８５】
したがって、実施の形態４においては、映像出力設定記憶部６に記憶された接続されている複数の映像表示装置に映像信号を出力する設定内容の内、少なくとも一つがコンテンツの再生データの出力が禁止されている端子に該当する場合には、該当する端子に対してコンテンツ再生出力を停止し（ステップＳ５９）、コンテンツ再生（複数）時のメッセージ情報（禁止理由）の映像信号を、例えば、使用者が判読可能で対応入力が可能な所定期間出力させる（ステップＳ５５）。【００８６】
以上に説明したように、実施の形態４の映像信号出力装置１０４においては、アナログとデジタルの複数の映像信号出力端子を備えた映像信号出力装置においては、使用者がメッセージ画面の情報にしたがってデジタル映像信号出力端子からの出力を選択した場合には、そのデジタル映像信号出力端子に出力を切り替えて、コンテンツの再生を開始するが、使用者がデジタル映像信号出力端子以外の端子からの出力を選択しつづける場合には、コンテンツの再生を再開させないので、アナログ出力が禁止されたコンテンツの再生複数出力時におけるアナログ出力を抑止できる。したがって、実施の形態４においては、アナログ出力が禁止されたコンテンツ再生データを複数の端子から出力させる時に、接続された映像表示装置には何も表示されないことから使用者に映像信号出力装置に故障が発生した等の誤解を与える事態を無くした映像信号出力装置を提供することができる。【００８７】
なお、実施の形態４におけるアナログ映像出力禁止コンテンツ再生時の映像信号出力端子設定の動作を、上記実施の形態１及び２における映像信号出力装置１０１に組み込むことも可能である。【００８８】
実施の形態５．
図８は、本発明の実施の形態５の映像信号出力装置１０５の概略構成を示すブロック図である。図８において、図４（実施の形態３）に示される構成と同一又は対応する構成には同じ符合を付す。実施の形態５の映像信号出力装置１０５は、複数の映像信号出力端子の中のいずれから映像信号が出力されているのかを示す表示をする表示部１５を有する点が、上記実施の形態３の映像信号出力装置１０３と相違する。【００８９】
上記実施の形態３においては、アナログ出力が禁止された次世代光ディスクのコンテンツの再生時に、アナログ映像信号出力端子に接続された映像表示装置にメッセージ画面信号を出力させて、使用者に故障が生じたとの誤解を与えないようにすることができる。しかし、コンテンツ再生時におけるアナログ出力の禁止は、コンテンツ毎に設定されているので、アナログ映像信号出力端子に接続された映像表示装置には、あるコンテンツを再生する場合には映像が表示されるが、他のコンテンツを再生する場合にはコンテンツの再生データに基づく映像ではないメッセージ画面が表示されたりする事態が発生する。【００９０】
上記実施の形態３では「映像表示装置をデジタル映像信号出力端子に接続すればコンテンツの再生データに基づく映像が表示されます。」というメッセージ画面を表示できるが、このようなメッセージ画面のみでは、使用者による誤解（映像信号出力装置に不良が発生しているのではないか等の誤解）を完全に無くすことができない。そこで、実施の形態５においては、このような使用者の誤解のおそれをより少なくして、映像表示装置をデジタル映像信号出力端子に接続し直すことが必要であることを、使用者に確実に伝えることができる映像信号出力装置について説明する。【００９１】
図８に示されるように、実施の形態５の映像信号出力装置１０５は、映像コンテンツを含む記憶媒体１２（次世代光ディスク）からコンテンツデータを再生するコンテンツ再生部１１と、映像表示装置が接続可能である全ての映像信号出力端子に対応する表示（図９の符合１５ａ〜１５ｄ）をすることができる表示部１５を有している。制御部１は、映像出力設定記憶部６に設定内容が記憶された状態で電源が投入されてコンテンツが再生される場合に、コンテンツの制御データを読み出して解析させる。制御部１は、解析結果から映像信号出力端子中に出力を禁止されている端子が存在する場合に、そのコンテンツの再生データの出力が禁止されている端子へのコンテンツの再生出力を停止し、表示部１５におけるコンテンツ再生データの出力が禁止されている映像信号出力端子を示す表示は強調表示（例えば、ハイライト表示）させず、出力が許可されている映像信号出力端子を示す表示のみを強調表示させる。【００９２】
図９（ａ）及び（ｂ）は、実施の形態５の映像信号出力装置１０５における表示部１５の表示内容を示す図であり、図９（ａ）はコンテンツのアナログ出力が禁止されていない場合であり、図９（ｂ）はコンテンツのアナログ出力が禁止されている場合である。表示部１５は、例えば、映像信号出力装置１０５のフロントパネル（図示せず）に備えられた表示管部又は液晶表示部等である。【００９３】
次世代光ディスクのコンテンツは、コンテンツ毎にアナログ出力が禁止される場合と禁止されていない場合とがある。符号１５ａは、ＨＤＭＩ端子からのコンテンツ再生映像出力が禁止されているか許可されているかを示す「ＨＤＭＩ端子」表示であり、符号１５ｂは、Ｄ端子からのコンテンツ再生映像出力が禁止されているか許可されているかを示す「Ｄ端子」表示であり、符号１５ｃは、Ｓ端子からのコンテンツ再生映像出力が禁止されているか許可されているかを示す「Ｓ端子」表示であり、符号１５ｄは、コンポジット端子からのコンテンツ再生映像出力が禁止されているか許可されているかを示す「コンポジット端子」表示である。【００９４】
図９（ｂ）の符号１５ｂ，１５ｃ，及び１５ｄは、図９（ａ）の符号１５ｂ，１５ｃ，及び１５ｄに対して強調表示（四角枠は強調表示を意味し、四角枠無しは強調表示されていない場合を示す。）されていないことから、コンテンツ再生映像出力が不可能である場合を示している。このようにコンテンツ再生時に、アナログ出力が禁止されていることから再生映像信号をアナログ端子へ再生できない場合には、図９（ｂ）の映像信号出力装置の表示部１５に示されたように、現在出力可能な端子（ＨＤＭＩ端子）の表示が強調表示（ハイライト）されてコンテンツ再生映像出力が可能であることがわかるように表示される。それに対して、コンテンツ再生時に、アナログ出力が禁止されていないことから再生映像信号をアナログ端子へ再生できる場合には、図９（ａ）の映像信号出力装置の表示部１５に示されたように、アナログ端子を含む全ての端子が強調表示（ハイライト）されてコンテンツ再生映像出力が可能であることがわかるように表示される。【００９５】
各映像信号出力端子からのコンテンツ再生映像出力が禁止されているか許可されているかを示すためには、図９（ａ）、（ｂ）に示したように強調表示（ハイライト）か通常表示かのみでなく、例えば、端子名を枠で囲うか枠を外すか、表示管の点灯か不点灯か等の、他の表示方法を用いることができる。【００９６】
映像信号出力装置１０５の使用者は、図９（ａ）の表示が図９（ｂ）に示した表示に変わっていることを確かめることにより、今まで視聴できていた出力端子から映像が出力されなくなった原因が、記憶媒体１２（次世代光ディスク）のコンテンツに規定されたアナログ出力の禁止であることを知ることができる。さらに、映像信号出力装置１０５の使用者は、図９（ｂ）に示されたような現在出力可能な端子（ＨＤＭＩ端子）の表示部１５の表示から判断して、出力可能な端子に映像表示装置を接続あるいは切り替えることで、アナログ出力が禁止されたコンテンツを、映像信号出力装置に不良が発生した等の誤解を感じることなく再生させて視聴することができる。【００９７】
以上に説明したように、実施の形態５の映像信号出力装置１０５によれば、表示部１５に、記憶媒体１２に記憶された映像コンテンツデータを出力可能な映像信号出力端子を使用者に知らせる表示１５ａ〜１５ｄがある。このため、映像信号出力装置１０５に接続された映像表示装置（図示せず）に何も表示されないことから、映像信号出力装置１０５が故障しているといった誤解を与える事態を無くすことができる。【００９８】
なお、実施の形態５においては、実施の形態３の映像信号出力装置に表示部１５を追加したものとして説明したが、実施の形態５の表示部１５を、上記実施の形態４に追加することも可能である。
【図１】
0004703720.tif 000002
【図２】
0004703720.tif 000003
【図３】
0004703720.tif 000004
【図４】
0004703720.tif 000005
【図５】
0004703720.tif 000006
【図６】
0004703720.tif 000007
【図７】
0004703720.tif 000008
【図８】
0004703720.tif 000009
【図９】
0004703720.tif 000010